(57)【特許請求の範囲】
【請求項１】
床板の下部に温風を送る床暖房システムにおいて、
床板の下方に設けられ、該床板との間に互いに平行に延設された複数の区画が形成された床暖パネルと、
該床暖パネルの区画に温風を送出する送風手段であるヘッダーとを備え、
該床暖パネルが、互いに平行に延設方向に伸びて立設された２つの往路ダクト壁によって仕切られた該区画の１つである往路ダクトと、該床板と該往路ダクト壁との間に間隙が設けられた状態で、該床暖パネルのそれぞれの外側端に該床板まで至る高さで該延設方向に伸びて立設された衝突壁と該往路ダクト壁とによって仕切られた該区画の１つである衝突空間とを有し、
該ヘッダーが、該往路ダクトに温風を送出することを特徴とする床暖房システム。
【請求項２】
前記床暖パネルの衝突空間の底面と前記床板との間隔が、前記床暖パネルの往路ダクトの底面と該床板との間隔より短いことを特徴とする請求項１記載の床暖房システム。
【請求項３】
前記床暖パネルの延設端付近に２つの前記往路ダクト壁に架設して前記往路ダクトを塞ぐ復路壁と、
該復路壁と該床暖パネルの延設端との間の復路ダクトの底面に排気口とを備えることを特徴とする請求項１又は請求項２記載の床暖房システム。
【請求項４】
前記床暖パネルが、前記床板の下部に並設された小根太同士の間に敷設可能な幅であることを特徴とする請求項１〜請求項３のいずれかに記載の床暖房システム。
【請求項５】
前記床暖パネルが、断熱材で形成されていることを特徴とする請求項１〜請求項４のいずれかに記載の床暖房システム。
【請求項６】
複数枚の前記床暖パネルが、前記小根太の幅分の間隔を隔てて、断熱シート上に固定されていることを特徴とする請求項４又は請求項５記載の床暖房システム。
【請求項７】
前記ヘッダーが、
前記床暖パネルの延設方向に垂直に伸びる管状で、
該ヘッダー内側と前記床暖パネルの往路ダクトとを連通する吸気口を備えることを特徴とする請求項１〜請求項６のいずれかに記載の床暖房システム。
【請求項８】
前記ヘッダーの上面に、前記床暖パネルの延設方向に直角な縦断面形状が同一になるように、該床暖パネルと同様な往路ダクト壁及び衝突壁とが、該床暖パネルの延設方向に伸びて立設されて、該床暖パネルと同様に往路ダクト及び衝突空間が形成されると共に、該ヘッダーの往路ダクトの底面に前記吸気口が穿設され、
該床暖パネルが、該延設方向に複数枚に分割されており、
該分割された床暖パネルと床暖パネルとの間に、該ヘッダーが横設され、
該床暖パネルの往路ダクト壁、衝突壁、往路ダクト及び衝突空間と、該ヘッダーの往路ダクト壁、衝突壁、往路ダクト及び衝突空間とが、それぞれ互いに連接していることを特徴とする請求項７記載の床暖房システム。
【請求項９】
前記ヘッダーの２つの往路ダクト壁に架設され前記ヘッダーの往路ダクトの上方を塞ぐヘッダー蓋を備え、
該ヘッダー蓋が、該往路ダクト壁の延設方向に摺動可能なことを特徴とする請求項８記載の床暖房システム。
【請求項１０】
暖房装置が部屋内に送風した温風を取り込む受風器と、
該受風器で取り込んだ温風を前記ヘッダーに送風する送風機とを備えることを特徴とする請求項１〜請求項９のいずれかに記載の床暖房システム。
【発明の詳細な説明】
【技術分野】
【０００１】
本発明は、床板の下部に温風を送る床暖房システムに関する。
【背景技術】
【０００２】
従来より、床暖房システムとして、床板の下に管を配設し、この管に温水を循環させて床面を温める方法や、床板の下にヒーターを敷設し床面を温める方法等が知られている。これらの床暖房システムは、消費エネルギーの節約という観点からは効果のあるものではあるが、施工、メンテナンス等のコストが高いものとなっていた。
【０００３】
そこで、本出願人は、特許文献１に示す室内冷暖房システムに使用する空気循環パネルを提案している。この空気循環パネルを使用した冷暖房システムは、送出ポンプを使用し、床面や壁面に使用されるパネル内部に温風又は冷風を送り込んで循環させるシステムであり、従来の冷暖房システムと比較すると、施工及びメンテナンスコストを削減できるものであった。
【０００４】
さらに、本出願人は、空気が保有する熱をできるだけ短時間で床面に伝達させて、室内を一定温度に保つとともに消費エネルギーを一層節約することができるように、特許文献２に示す床暖房システムを提案している。この床暖房システムは、床板の下面に熱伝導板を設け、この熱伝導板よりも下方に所定距離を有しつつ断熱パネルを設けている。そして、熱伝導板及び断熱パネルの間に隔壁を設け、複数の空気衝突空間を仕切るように構成すし、空気衝突空間ごとに空気を送出する往路管と、空気衝突空間内の空気を吸引する復路管とを設けている。また、往路管の一部で構成される空気噴出パイプと、復路管の一部で構成される空気吸引パイプとを空気衝突空間のそれぞれの内部に設け、空気噴出パイプには、空気噴出孔が、空気吸引パイプには空気吸引孔が、それぞれ空気衝突空間内で開口するように穿設されている。
【特許文献１】特開２００１−１６５４７６号公報
【特許文献２】特開２００３−１５６２１７号公報
【発明の開示】
【発明が解決しようとする課題】
【０００５】
しかしながら、従来の床暖房システムでは、床板の下の温風が通過する部分が、限られていたことから、床全体を温める点で十分ではなかった。
【０００６】
本発明は、このような事情に鑑みてなされたもので、床全体を均一に温めることができる床暖房システムを提供することにある。
【課題を解決するための手段】
【０００７】
請求項１記載の床暖房システムは、床板の下方に設けられ、床板との間に互いに平行に延設された複数の区画が形成された床暖パネルと、床暖パネルの区画に温風を送出する送風手段であるヘッダーとを備え、床暖パネルが、互いに平行に延設方向に伸びて立設された２つの往路ダクト壁によって仕切られた区画の１つである往路ダクトと、床板と往路ダクト壁との間に間隙が設けられた状態で、床暖パネルのそれぞれの外側端に床板まで至る高さで延設方向に伸びて立設された衝突壁と往路ダクト壁とによって仕切られた区画の１つである衝突空間とを有し、ヘッダーが、往路ダクトに温風を送出することを特徴とする。
【０００８】
請求項２記載の床暖房システムは、床暖パネルの衝突空間の底面と床板との間隔が、床暖パネルの往路ダクトの底面と床板との間隔より短いことを特徴とする。
【０００９】
請求項３記載の床暖房システムは、床暖パネルの延設端付近に２つの往路ダクト壁に架設して往路ダクトを塞ぐ復路壁と、復路壁と床暖パネルの延設端との間の復路ダクトの底面に排気口とを備えることを特徴とする。
【００１０】
請求項４記載の床暖房システムは、床暖パネルが、床板の下部に並設された小根太同士の間に敷設可能な幅であることを特徴とする。
【００１１】
請求項５記載の床暖房システムは、床暖パネルが、断熱材で形成されていることを特徴とする。
【００１２】
請求項６記載の床暖房システムは、複数枚の床暖パネルが、小根太の幅分の間隔を隔てて、断熱シート上に固定されていることを特徴とする。
【００１３】
請求項７記載の床暖房システムは、ヘッダーが、床暖パネルの延設方向に垂直に伸びる管状で、ヘッダー内側と床暖パネルの往路ダクトとを連通する吸気口を備えることを特徴とする。
【００１４】
請求項８記載の床暖房システムは、ヘッダーの上面に、床暖パネルの延設方向に直角な縦断面形状が同一になるように、床暖パネルと同様な往路ダクト壁及び衝突壁とが、床暖パネルの延設方向に伸びて立設されて、床暖パネルと同様に往路ダクト及び衝突空間が形成されると共に、ヘッダーの往路ダクトの底面に前記吸気口が穿設され、床暖パネルが、延設方向に複数枚に分割されており、分割された床暖パネルと床暖パネルとの間に、ヘッダーが横設され、床暖パネルの往路ダクト壁、衝突壁、往路ダクト及び衝突空間と、ヘッダーの往路ダクト壁、衝突壁、往路ダクト及び衝突空間とが、それぞれ互いに連接していることを特徴とする。
【００１５】
請求項９記載の床暖房システムは、ヘッダーの２つの往路ダクト壁に架設されヘッダーの往路ダクトの上方を塞ぐヘッダー蓋を備え、ヘッダー蓋が、往路ダクト壁の延設方向に摺動可能なことを特徴とする。
【００１６】
請求項１０記載の床暖房システムは、暖房装置が部屋内に送風した温風を取り込む受風器と、受風器で取り込んだ温風をヘッダーに送風する送風機とを備えることを特徴とする。
【発明の効果】
【００１７】
請求項１の発明によれば、床暖パネルが、互いに平行に延設方向に伸びて立設された２つの往路ダクト壁によって仕切られた区画の１つである往路ダクトと、床板と往路ダクト壁との間に間隙が設けられた状態で、床暖パネルのそれぞれの外側端に床板まで至る高さで延設方向に伸びて立設された衝突壁と往路ダクト壁とによって仕切られた区画の１つである衝突空間とを有し、ヘッダーが往路ダクトに温風を送出することから、往路ダクトを通る温風が、床板と往路ダクト壁との間の間隙の抵抗で圧力が高められて衝突空間に押し出され、温風が衝突空間に行き渡ることから、床全体を均一に温めることができる。また、衝突空間に勢いよく流れ込んだ温風が衝突壁にぶつかって衝突空間内を循環することから、より効率的に温風が衝突空間に行き渡ることになる。
【００１８】
請求項２の発明によれば、床暖パネルの衝突空間の底面と床板との間隔が、床暖パネルの往路ダクトの底面と床板との間隔より短いことから、温風が往路ダクト内を延設方向にスムーズに流れて温風の滞留が生じにくいと共に、衝突空間では温風の圧力を高く維持して温風の流れを継続させることができる。
【００１９】
請求項３の発明によれば、床暖パネルの延設端付近に２つの往路ダクト壁に架設して往路ダクトを塞ぐ復路壁と、復路壁と床暖パネルの延設端との間の復路ダクトの底面に排気口とを備えることから、温風が復路壁にぶつかって往路ダクトから衝突空間に出た後に、温風が復路ダクトに入って排気口から排出され、排気口周辺の衝突空間にも温風が行き渡り、床全体を均一に温めることができる。
【００２０】
請求項４の発明によれば、床暖パネルが床板の下部に並設された小根太同士の間に敷設可能な幅であることから、床下の空間を効率的に利用することができると共に、床暖パネルの敷設が容易である。
【００２１】
請求項５の発明によれば、床暖パネルが断熱材で形成されていることから、温風の熱エネルギーが地面側に奪われにくく、温度の維持が容易で、効率的に床を温めることができる。
【００２２】
請求項６の発明によれば、複数枚の床暖パネルが、小根太の幅分の間隔を隔てて、断熱シート上に固定されていることから、小根太を床暖パネル同士の間の断熱シートの上に配設することで、小根太部分からの放熱を抑えることができる。また、施工時に複数の床暖パネルを同時に扱うことができることから、床暖パネルの取り扱いが容易である。
【００２３】
請求項７の発明によれば、ヘッダーが、床暖パネルの延設方向に垂直に伸びる管状で、ヘッダー内側と床暖パネルの往路ダクトとを連通する吸気口を備えることから、１つのヘッダーで各床暖パネルの往路ダクトに均等に温風を送ることができる。
【００２４】
請求項８の発明によれば、ヘッダーの上面の床暖パネルの延設方向に直角な縦断面形状が床暖パネルと同一になっており、ヘッダーを床暖パネルの延設方向の端部に横設させて、床暖パネルの往路ダクト壁、衝突壁、往路ダクト及び衝突空間と、ヘッダーの往路ダクト壁、衝突壁、往路ダクト及び衝突空間とがそれぞれ互いに連接していることから、ヘッダーの施工が容易で、ヘッダーの吸気口からの温風をヘッダーの往路ダクトを介して、スムーズに床暖パネルの往路ダクトに送ることができる。
【００２５】
請求項９の発明によれば、ヘッダーの２つの往路ダクト壁に架設されヘッダーの往路ダクトの上方を塞ぐヘッダー蓋が、往路ダクト壁の延設方向に摺動可能なことから、ヘッダー蓋を摺動させることでヘッダーの往路ダクトの上部開口面積を可変でき、ヘッダーの往路ダクトから床暖パネルの往路ダクトに流れる温風の量を容易に調整することができる。
【００２６】
請求項１０の発明によれば、受風器で取り込んだ温風をヘッダーに送風する送風機とを備えることから、屋内を暖める暖房装置の温風を効率よく床暖房に用いることができる。
【発明を実施するための最良の形態】
【００２７】
以下、本発明の形態について図面を参照しながら具体的に説明する。本発明の形態における床暖房システムは、床板の下部に温風を送り室内を暖めるものである。図１は、本発明に係る床暖房システムの概要を示す説明図である。図２は、同床暖房システムの床暖パネル及びヘッダーの上面を示す説明図である。図３は図２のＡ−Ａ線矢視断面図、図４は図２のＢ−Ｂ線矢視断面図、図５は図２のＣ−Ｃ線矢視断面図、図６は図２のＤ−Ｄ線矢視断面図である。図７は同床暖房システムの床暖シートの斜視図、図８は同床暖房システムの床暖シートの平面図である。図９は、同床暖房システムの構成を示す説明図である。図１０及び図１１は、同床暖房システムの温風の流れを示す説明図である。図１２は同床暖房システムの復路壁及び排気口を有する床暖シートの斜視図、図１３は同床暖房システムの復路壁及び排気口を有する床暖シートの平面図である。図１４は、同床暖房システムのヘッダー蓋の様子を示す説明図、図１５は図１４のＥ−Ｅ線矢視断面図である。図１６は、同床暖房システムの設置の様子を示す説明図である。
【００２８】
図において、床暖房システム１は、床暖シート３０，５０、ヘッダー１０等から構成されている。まず、床の構造を説明すると、土間に近い部分に角材である根太４が複数本平行して水平に配設されている。根太４の上には、下地合板５が敷き詰められている。そして、下地合板５の上に、角材である小根太６が、根太４と直交するように複数本平行して水平に配設されている。小根太６の上には、捨貼合板７が張られ、その上に床仕上材８が配設され、この捨貼合板７と床仕上材８とにより、床板が形成されている。
【００２９】
次に、本実施の形態における床暖シート３０，５０について説明する。まず、図７及び図８等に示す床暖シート３０は、アルミシート等の断熱性のあるシートである断熱シート３２の上に、床暖パネル３１が、平行して所定間隔を隔てて貼付されている。この床暖パネル３１の相互の間隔は、小根太６の幅の間隔である。また、両脇の床暖パネル３１のさらに外側端には、断熱シート３２がはみ出している。
【００３０】
１つ１つの床暖パネル３１は、略長方形の板状の断熱材で、その上面に凹凸を有している。床暖パネル３１の幅は、小根太６の間隔で、長さは部屋の広さにより適宜定めればよい。床暖パネル３１の上面の幅方向の中心を挟んで、往路ダクト壁４０が平行して立設されている。この往路ダクト壁４０は、床暖パネル３１の長手方向、すなわち後述するように小根太６の延設方向に伸びている。そして、往路ダクト壁４０の高さは、床暖パネル３１の底面からの高さとして、小根太６の高さよりもわずかに低い。尚、往路ダクト壁４０で挟まれる床暖パネル３１の上面は掘り下げられ、往路ダクト壁４０とにより区画が形成され往路ダクト４２となっている。
【００３１】
また、床暖パネル３１の長手方向の両端部には、衝突壁４４が立設されている。この衝突壁４４は、床暖パネル３１の長手方向、すなわち後述するように小根太６の延設方向に伸びている。そして、衝突壁４４の高さは、床暖パネル３１の底面からの高さとして、小根太６の高さと等しい。尚、往路ダクト壁４０と衝突壁４４とにより区画が形成され衝突空間４６となっている。ここで、衝突空間４６部分の床暖パネル３１の厚みは、小根太６の高さの略半分であり、往路ダクト４２部分の床暖パネル３１の厚みは、衝突空間４６部分の厚みの３分の１程度である。
【００３２】
そして、床暖パネル３１の長手方向の一端部で、衝突空間４６の下部からは、他の床暖パネル３１，５１と嵌合させるための嵌合凸部３６が設けられ、他端部には嵌合凹部３８が穿設されている。
【００３３】
次に、床暖シート３０の変形例である床暖シート５０について説明する。床暖シート５０は、図１２及び１３等に示すように、基本的には床暖シート３０と同じ構造であり、断熱シート５２の上に、複数枚の床暖パネル５１が貼付されている。そして、床暖パネル３１の嵌合凸部３６、嵌合凹部３８、往路ダクト壁４０、往路ダクト４２、衝突壁４４、衝突空間４６が、それぞれ床暖パネル５１の嵌合凸部５６、嵌合凹部５８、往路ダクト壁６０、往路ダクト６２、衝突壁６４、衝突空間６６に該当する。
【００３４】
尚、床暖パネル５１は、長手方向の延設端付近に、２つの往路ダクト壁６０に架設して往路ダクト６２を塞ぐ復路壁６８を備えている。そして、復路壁６８と床暖パネル５１の延設端との間の復路ダクト７０の底面に排気口５４を備えている。
【００３５】
次に、ヘッダー１０の構造を説明する。ヘッダー１０は、断面略長方形の環状の風路部１２と、風路部１２の長手方向上部左右に突出する係止鍔１１とから構成され、根太４と同じような長さを有している。また、ヘッダー１０の上面は、床暖パネル３１の長手方向（延設方向）に直角な縦断面形状が同一になるように、床暖パネル３１と同様な往路ダクト壁２０及び衝突壁２４とが、床暖パネル３１の長手方向（ヘッダー１０の長手方向に直角方向）に伸びて立設されて、床暖パネル３１と同様に往路ダクト２２及び衝突空間２６が形成されている。また、ヘッダー１０の往路ダクト２２の底面には、往路ダクト２２と風路部１２の内側のヘッダー風路１４とを連通する吸気口１６が穿設されている。
【００３６】
また、ヘッダー１０の２つの往路ダクト壁２０に架設され、往路ダクト２２の上方を塞ぐようにヘッダー蓋２８が載置されている。このヘッダー蓋２８は、往路ダクト壁２０の延設方向に摺動可能な構造である。
【００３７】
また、ヘッダー１０の係止鍔１１の端面で、衝突空間２６の下部からは、床暖パネル３１と嵌合させるための嵌合凹部１８が穿設されている。
【００３８】
次に、床暖房システム１の施工方法を説明する。まず、根太４を配設した後に、下地合板５を敷き詰めていくが、このとき、図１に示すように、下地合板５にヘッダー１０の風路部１２が嵌り込む隙間をあけるようにする。隙間の位置は、根太４と根太４との間で、根太４に沿ってである。そして、その隙間部分にヘッダー１０を嵌合させ、ヘッダー１０の係合鍔１１が下地合板５に係止することで、ヘッダー１０が下地合板５に固定される。
【００３９】
次に、下地合板５の上に、ヘッダー１０と直交する方向に、床暖シート３０，５０を敷き詰めていく。この時、ヘッダー１０の側面と床暖パネル３１の端部が密接するように配設する。これにより、床暖パネル３１の往路ダクト壁４０、衝突壁４４、往路ダクト４２及び衝突空間４６と、ヘッダー１０の往路ダクト壁２０、衝突壁２４、往路ダクト２２及び衝突空間２６とがそれぞれ互いに連接することになる。また、部屋の広さに合わせて床暖シート３０，５０をつなぎ合わせるようにする。図９は、下地合板５の上に、ヘッダー１０及び床暖シート３０，５０を敷き詰めた状態を示しており、図９でもわかるように、ヘッダー１０から一番離れた位置には、床暖シート５０を配設するようにする。そして、長手方向に隣り合う床暖パネル３１，５１の間に、小根太６を配設する。この時、小根太６と下地合板５との間には、断熱シート３２，５２が敷かれた状態となる。
【００４０】
そして、床暖シート３０，５０及び小根太６の上に、捨貼合板７及び床仕上材８を敷設して床を完成させる。また、ヘッダー１０の風路部１２に温風を供給する方法は、特に限られるものではないが、例えば図１６に示すような方法がある。図１６に示す方法としては、部屋の壁Ｗに設けられたルームエアコン等の暖房装置である温風機８０の温風を取り込む受け皿となる受風器８４を、温風器８０の温風の吹出口の近傍に設ける。そして、受風器８４と取り込んだ温風を、送風機８２を介して壁内Ｗ１を通して、ヘッダー１０の風路部１２に送るようにしている。このように、受風器８４で取り込んだ温風をヘッダー１０に送風する送風機８２とを備えることで、屋内を暖める暖房装置の温風を効率よく床暖房に用いることができる。
【００４１】
尚、ヘッダー１０に設けられる吸気口１６は、ヘッダー１０の往路ダクト２２ごとに設けるようにするので、例え図９に示す例では、吸気口の数は９個になり、ヘッダー蓋２８の数も９である。
【００４２】
このように配設された床暖パネル３１，５１においては、床板となる捨貼合板７の下面と床暖パネル３１，５１の上面との間には、いくつかの区画が形成されることになる。具体的には、床暖パネル３１，５１の２つの往路ダクト壁４０，６０と捨貼合板７とからなる区画が往路ダクト４２，６２となる。また、それぞれの往路ダクト壁４０，６０と衝突壁４４，６４と捨貼合板７とからなる区画が衝突空間４６，６６となる。そして、往路ダクト壁４０，６０の高さが、小根太６の高さに至らないことから、往路ダクト壁４０，６０の上端と捨貼合板７との間には間隙が形成され、その間隙を介して、往路ダクト４２，６２と衝突空間４６，６６とが連通している。尚、床暖パネル３１，５１の構造を床板である捨貼合板７との関係で説明すると、床暖パネル３１，５１の衝突空間４６，６６の底面と捨貼合板７との間隔が、床暖パネル３１，５１の往路ダクト４２，６２の底面と捨貼合板７との間隔より短い構造となっている。
【００４３】
以上のような構造の床暖システム１の動作を説明する。まず、図３及び図５に示すように、ヘッダー１０のヘッダー風路１４を通った温風が、吸気口１６を通って、ヘッダー１０の往路ダクト２２に流れる。そして、往路ダクト２２に沿って、温風は床暖パネル３１の往路ダクト４２を流れることになる。この時点で、温風が流れた往路ダクト２２の上方の捨貼合板７と床仕上材８とが温められ、床面の一部が温められる。また、往路ダクト４２を通った温風は、両端の床暖パネル５１の往路ダクト６２にも流れることになる。
【００４４】
そして、往路ダクト４２，６２を通る温風は、図１０及び図１１に示すように、往路ダクト壁４０、６０と捨貼合板７との間隙を越えて、衝突空間４６，６６に流れ込むことになる。往路ダクト４２，６２から衝突空間４６，６６に流れ込んだ温風は、図１１に示すように、衝突空間４６，６６を横切って衝突壁４４，６６にぶつかって、再び往路ダクト壁４０，６０方向に戻ってくる。
【００４５】
尚、床暖パネル５１の往路ダクト６２を進んだ温風は復路壁６４にぶつかって、往路ダクト６２から衝突空間６６方向に押し出されることになる。そして、衝突空間４６，６６に流れる温風と相まって復路ダクト７０内に流れ込み、排気口５４から下地合板５に穿設された穴を介して、排気されることになる。
【００４６】
以上のように、本実施の形態の床暖房システム１によれば、往路ダクト４２，６２を通る温風が、捨貼合板７と往路ダクト壁４０，６０との間の間隙の抵抗で圧力が高められて衝突空間４６，６６に押し出されて、温風が衝突空間４６，６６に行き渡ることから、床全体を均一に温めることができる。また、衝突空間４６，６６に勢いよく流れ込んだ温風が衝突壁４４，６４にぶつかって衝突空間４６，６６内を循環することから、より効率的に温風が衝突空間４６，６６に行き渡ることになる。
【００４７】
また、床暖パネル３１，５１の衝突空間４６，６６の底面と捨貼合板７との間隔が、床暖パネル３１，５１の往路ダクト４２，６２の底面と捨貼合板７との間隔より短いことから、温風が往路ダクト４２，６２内を延設方向にスムーズに流れて温風の滞留が生じにくいと共に、衝突空間４６，６６では温風の圧力を高く維持して温風の流れを継続させることができる。
【００４８】
さらに、床暖パネル５１の延設端付近に２つの往路ダクト壁６０に架設して往路ダクト６２を塞ぐ復路壁６８と、復路壁６８と床暖パネル５１の延設端との間の復路ダクト７０の底面に排気口５４とを備えることから、温風が復路壁６８にぶつかって往路ダクト６２から衝突空間６６に出た後に、温風が復路ダクト７０に入って排気口５４から排出され、排気口５４周辺の衝突空間６６にも温風が行き渡り、床全体を均一に温めることができる。
【００４９】
さらに、床暖パネル３１，５１が捨貼合板７の下部に並設された小根太６同士の間に敷設可能な幅であることから、床下の空間を効率的に利用することができると共に、床暖パネル３１，５１の敷設が容易である。
【００５０】
さらに、床暖パネル３１，５１は断熱材に限られるものではないが、断熱材で形成することで、温風の熱エネルギーが地面側に奪われにくく、温度の維持が容易で、効率的に床を温めることができる。
【００５１】
さらに、床暖パネル３１，５１を１枚１枚別々にするのではなく、複数枚の床暖パネル３１，５１を、小根太６の幅分の間隔を隔てて、断熱シート３２，５２上に固定し、小根太６を床暖パネル３１，５１同士の間の断熱シート３２，５２の上に配設することで、小根太６部分からの放熱を抑えることができる。また、施工時に複数の床暖パネル３１，５１を同時に扱うことができることから、床暖パネル３１，５１の取り扱いが容易である。
【００５２】
さらに、ヘッダー１０が、床暖パネル３１，５１の延設方向に垂直に伸びる管状で、ヘッダー１０内側と床暖パネル３１，５１の往路ダクト４２，６２とを連通する吸気口１６を備えることから、１つのヘッダー１０で各床暖パネル３１，５１の往路ダクト５２，６２に均等に温風を送ることができる。
【００５３】
さらに、ヘッダー１０の上面の床暖パネル３１，５１の延設方向に直角な縦断面形状が床暖パネル３１，５１と同一になっており、ヘッダー１０を床暖パネル３１，５１の延設方向の端部に横設させて、床暖パネル３１，５１の往路ダクト壁４０，６０、衝突壁４４，６４、往路ダクト４２，６２及び衝突空間４６，６６と、ヘッダー１０の往路ダクト壁２０、衝突壁２４、往路ダクト２２及び衝突空間２６とがそれぞれ互いに連接していることから、ヘッダー１０の施工が容易で、ヘッダー１０の吸気口１６からの温風をヘッダー１０の往路ダクト２２を介して、スムーズに床暖パネル３１，５１の往路ダクト４２，６２に送ることができる。
【００５４】
さらに、ヘッダー１０の２つの往路ダクト壁２０に架設されヘッダー１０の往路ダクト２２の上方を塞ぐヘッダー蓋２８を設けるようにし、往路ダクト壁２０の延設方向に摺動可能にすることで、ヘッダー１０の往路ダクト２２の上部開口面積を可変でき、ヘッダー１０の往路ダクト２２から床暖パネル３１，５１の往路ダクト４２，６２に流れる温風の量を容易に調整することができる。具体的には、図１４及び図１５のように、ヘッダー蓋２８を摺動させるようにする。図９に示すように、ヘッダー１０を部屋の中央に配設する場合は、ヘッダー１０の左右の往路ダクト４２，６２の長さが等しいので、ヘッダー蓋２８を中央に配置し摺動させないようにすれば、左右に同量の温風を送ることができる。しかしながら、ヘッダー１０を部屋の中心から外れた位置に配設する場合には、左右の往路ダクト４２，６２の長さが異なることから、ヘッダー１０から供給する温風の量も左右で変える必要がある。この場合、温風の量を少なくしたい側にヘッダー蓋２８を摺動させることにより、摺動に応じた量の温風をそれぞれの往路ダクト４２，６２に供給可能となる。
【産業上の利用可能性】
【００５５】
以上のように、床全体を均一に温めることができる床暖房システムを提供することができる。
【図面の簡単な説明】
【００５６】
【図１】本発明に係る床暖房システムの概要を示す説明図である。
【図２】同床暖房システムの床暖パネル及びヘッダーの上面を示す説明図である。
【図３】図２のＡ−Ａ線矢視断面図である。
【図４】図２のＢ−Ｂ線矢視断面図である。
【図５】図２のＣ−Ｃ線矢視断面図である。
【図６】図２のＤ−Ｄ線矢視断面図である。
【図７】同床暖房システムの床暖シートの斜視図である。
【図８】同床暖房システムの床暖シートの平面図である。
【図９】同床暖房システムの構成を示す説明図である。
【図１０】同床暖房システムの温風の流れを示す説明図である。
【図１１】同床暖房システムの温風の流れを示す説明図である。
【図１２】同床暖房システムの復路壁及び排気口を有する床暖シートの斜視図である。
【図１３】同床暖房システムの復路壁及び排気口を有する床暖シートの平面図である。
【図１４】同床暖房システムのヘッダー蓋の様子を示す説明図である。
【図１５】図１４のＥ−Ｅ線矢視断面図である。
【図１６】同床暖房システムの設置の様子を示す説明図である。
【符号の説明】
【００５７】
１・・・・床暖房システム
４・・・・根太
５・・・・下地合板
６・・・・小根太
７・・・・捨貼合板
８・・・・床仕上材
１０・・・ヘッダー
１１・・・係止鍔
１２・・・風路部
１４・・・ヘッダー風路
１６・・・吸気口
１８・・・嵌合凹部
２０・・・往路ダクト壁
２２・・・往路ダクト
２４・・・衝突壁
２６・・・衝突空間
２８・・・ヘッダー蓋
３０・・・床暖シート
３１・・・床暖パネル
３２・・・断熱シート
３６・・・嵌合凸部
３８・・・嵌合凹部
４０・・・往路ダクト壁
４２・・・往路ダクト
４４・・・衝突壁
４６・・・衝突空間
５０・・・床暖シート
５１・・・床暖パネル
５２・・・断熱シート
５４・・・排気口
５６・・・嵌合凸部
５８・・・嵌合凹部
６０・・・往路ダクト壁
６２・・・往路ダクト
６４・・・衝突壁
６６・・・衝突空間
６８・・・復路壁
７０・・・復路ダクト
８０・・・温風器
８２・・・送風機
８４・・・受風器
【図１】
0005132356.tif 000002
【図２】
0005132356.tif 000003
【図３】
0005132356.tif 000004
【図４】
0005132356.tif 000005
【図５】
0005132356.tif 000006
【図６】
0005132356.tif 000007
【図７】
0005132356.tif 000008
【図８】
0005132356.tif 000009
【図９】
0005132356.tif 000010
【図１０】
0005132356.tif 000011
【図１１】
0005132356.tif 000012
【図１２】
0005132356.tif 000013
【図１３】
0005132356.tif 000014
【図１４】
0005132356.tif 000015
【図１５】
0005132356.tif 000016
【図１６】
0005132356.tif 000017